(57)【要約】【課題】吸収性物品と着用者の肌との間に滞留する湿気を効率よく速やかに排出することができ、快適に着用することができる吸収性物品を提供する。【解決手段】吸収体２２と、少なくとも一部が液透過性材料からなるトップシート１８と、液不透過性材料からなるバックシート２０と、シート材７０，７６からなり、外部から仕切られた内部空間６０が形成された管状を呈し、吸収体２２の両側に配置された左右一対のチューブ状隔壁６２Ａと、を備え、チューブ状隔壁６２Ａの頂部側には、チューブ状隔壁６２Ａの前後方向に向かって伸張状態の起立用伸縮材６４が固定され、チューブ状隔壁６２Ａの内向面に、左右一対のチューブ状隔壁６２Ａによって挟まれた空間に向かって開口する第１の孔６６が形成されるとともに、チューブ状隔壁６２Ａの外向面に、左右一対のチューブ状隔壁６２Ａより外側の空間に向かって開口する第２の孔６８が形成されている吸収性物品１Ａ。【選択図】図１Ｂ
2010035865.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、シート材からなり、外部から仕切られた内部空間が形成された管状を呈し、前記吸収体の両側に配置された左右一対のチューブ状隔壁と、を備え、
前記チューブ状隔壁の頂部側には、前記チューブ状隔壁の前後方向に向かって伸張状態の起立用伸縮材が固定され、
前記チューブ状隔壁の内向面に、前記左右一対のチューブ状隔壁によって挟まれた空間に向かって開口する第１の孔が形成されるとともに、前記チューブ状隔壁の外向面に、前記左右一対のチューブ状隔壁より外側の空間に向かって開口する第２の孔が形成されている吸収性物品。
【請求項２】
撥水性シートからなり、前記吸収体の両側に配置された、左右一対の立体ギャザーを更に備え、
前記左右一対の立体ギャザーは、前記左右一対のチューブ状隔壁よりも内側の領域に配置されている請求項１に記載の吸収性物品。
【請求項３】
前記チューブ状隔壁は、前記シート材の一の端部側の領域によって、外部から仕切られた内部空間を形成する管状部が形成されるとともに、前記シート材の他の端部側の領域によって、前記内部空間に延出されるベロ部が形成されており、
前記ベロ部に前記起立用伸縮材が固定されている請求項１又は２に記載の吸収性物品。
【発明の詳細な説明】
【技術分野】
【０００１】
本発明は、吸収体、トップシート及びバックシートを備えた吸収性物品に関するものである。より具体的には、吸収性物品と着用者の肌との間に滞留する湿気を外部に排出する排気機構を備えた吸収性物品に関するものである。
【背景技術】
【０００２】
一般に、使い捨ておむつ、尿パッド等の吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品は、トップシートが着用者の肌と接するように使用され、排泄物はトップシートの液透過性部分を透過して吸収体に吸収・保持される。そして、吸収体の裏面側に配置された液不透過性のバックシートによって、排泄物が外部に漏洩することが防止される。
【０００４】
ところで、吸収性物品の着用時には、尿や汗、体液等から発生する湿気が吸収性物品と着用者の肌との間に滞留し易い。この湿気は、かぶれ等のスキントラブルの原因となり、蒸れ、べたつき等の不快感を生じさせるため好ましくない。
【０００５】
そこで、吸収性物品と着用者の肌との間の空間に滞留する湿気を外部に排出し、吸収性物品内部の湿度を低下させるために、種々の提案がなされている。例えば、多数の微細孔が形成されたフィルムを用いたバックシート材や防漏シート等が提案されている（特許文献１及び２参照）。また、トップシートと吸収体の間に、吸湿剤が密封された吸湿剤封入体を配した吸収性物品も提案されている（特許文献３参照）。
【０００６】
【特許文献１】特開平１１−３４８１６３号公報
【特許文献２】特開２００７−０２０６６４号公報
【特許文献３】特開２００３−１１６９１２号公報
【発明の開示】
【発明が解決しようとする課題】
【０００７】
特許文献１に記載のバックシート材や特許文献２に記載の防漏シートは、フィルムに形成された多数の微細孔によって、漏れを防止しつつ透湿性を向上させることが可能であり、吸収性物品と着用者の肌との間の湿気をある程度排出することができる。しかしながら、これらの発明はバックシート材等の本来的な性能である防漏性を確保した上で、透湿性を改善するものに留まる。従って、透湿性の向上には自ずと限界があり、吸収性物品と着用者の肌との間に滞留する湿気を効率よく排出可能なものではないというのが現状であった。
【０００８】
また、特許文献３に記載の吸収性物品は、吸湿剤を用いて湿気を吸収させることによって、吸収性物品と着用者の肌との間の湿度を低下させることを期待できる。しかしながら、吸湿剤により湿気を吸収する方法では、速やかに湿気を除去することができないという点で解決すべき課題を残すものであった。
【０００９】
本発明は、吸収性物品と着用者の肌との間に滞留する湿気を効率よく速やかに排出することができ、快適に着用することができる吸収性物品を提供するものである。
【課題を解決するための手段】
【００１０】
本発明者は、前記のような従来技術の課題を解決するために鋭意検討した結果、シート材からなり、その内向面、外向面の双方に湿気が通過可能な孔が形成された管状の隔壁（チューブ状隔壁）を吸収体の左右両側に付設することとした。そして、着用者の動作に伴うチューブ状隔壁の変形を利用し、ポンプ類似の排気機構で吸収性物品と着用者の肌との間に滞留する湿気を吸収性物品の外部に積極的に排出することによって、上記課題が解決されることに想到し、本発明を完成させた。具体的には、本発明により、以下の吸収性物品が提供される。
【００１１】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、シート材からなり、外部から仕切られた内部空間が形成された管状を呈し、前記吸収体の両側に配置された左右一対のチューブ状隔壁と、を備え、前記チューブ状隔壁の頂部側には、前記チューブ状隔壁の前後方向に向かって伸張状態の起立用伸縮材が固定され、前記チューブ状隔壁の内向面に、前記左右一対のチューブ状隔壁によって挟まれた空間に向かって開口する第１の孔が形成されるとともに、前記チューブ状隔壁の外向面に、前記左右一対のチューブ状隔壁より外側の空間に向かって開口する第２の孔が形成されている吸収性物品。
【００１２】
［２］  撥水性シートからなり、前記吸収体の両側に配置された、左右一対の立体ギャザーを更に備え、前記左右一対の立体ギャザーは、前記左右一対のチューブ状隔壁よりも内側の領域に配置されている前記［１］に記載の吸収性物品。
【００１３】
［３］  前記チューブ状隔壁は、前記シート材の一の端部側の領域によって、外部から仕切られた内部空間を形成する管状部が形成されるとともに、前記シート材の他の端部側の領域によって、前記内部空間に延出されるベロ部が形成されており、前記ベロ部に前記起立用伸縮材が固定されている前記［１］又は［２］に記載の吸収性物品。
【発明の効果】
【００１４】
本発明の吸収性物品は、吸収性物品と着用者の肌との間に滞留する湿気を効率よく速やかに排出することができ、快適に着用することができる。
【発明を実施するための最良の形態】
【００１５】
以下、本発明の吸収性物品を実施するための最良の形態について、テープ型使い捨ておむつの例により具体的に説明する。但し、本発明はその発明特定事項を備える吸収性物品（例えば、パンツ型使い捨ておむつ、尿パッド等）を広く包含するものであり、以下の実施形態に限定されるものではない。なお、作図の都合上、図１Ａにおいては、脚周り伸縮材を捨象した形で作図を行った。
【００１６】
［１］定義等：
「テープ型使い捨ておむつ」とは、図１Ａ及び図１Ｂに示す吸収性物品１Ａのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味するものとする。
【００１７】
「前身頃」とは、図１Ａに示す吸収性物品１Ａのように、着用者に吸収性物品を装着した際に、着用者の腹側（身体前方）を覆う部分（図中、符号２）、「股下部」とは、着用者に吸収性物品を装着した際に、着用者の股下を覆う部分（図中、符号４）、「後身頃」とは、着用者に吸収性物品を装着した際に、着用者の背側（身体後方）を覆う部分を意味するものとする（図中、符号６）。
【００１８】
［２］本発明の吸収性物品の構成：
本発明の吸収性物品は、図１Ａ及び図１Ｂに示す吸収性物品１Ａのように、シート材７０，７６からなり、外部から仕切られた内部空間６０が形成された管状を呈し、吸収体２２の両側に配置された左右一対のチューブ状隔壁６２Ａを備え、チューブ状隔壁６２Ａの頂部側には、チューブ状隔壁６２Ａの前後方向に向かって伸張状態の起立用伸縮材６４が固定され、チューブ状隔壁６２Ａの内向面に、左右一対のチューブ状隔壁６２Ａによって挟まれた空間に向かって開口する第１の孔６６が形成されるとともに、チューブ状隔壁６２Ａの外向面に、左右一対のチューブ状隔壁６２Ａより外側の空間に向かって開口する第２の孔６８が形成されているものである。
【００１９】
このような構成では、尿や体液から発生し、吸収性物品（主としてトップシート１８）と着用者の肌との間に滞留する湿気が、第１の孔６６からチューブ状隔壁６２の内部空間６０に入り込む。一方、第２の孔６８からは、外気がチューブ状隔壁６２の内部空間６０に入り込む。湿気と外気はチューブ状隔壁６２の内部空間６０において混ざり合った後、第１の孔６６と第２の孔６８から排出される。また、シート材７０，７６によって形成されたチューブ状隔壁６２Ａは着用者の動作によって容易に変形するので、第１の孔６６からチューブ状隔壁６２の内部空間６０に入り込んだ湿気が、着用者の動作によってチューブ状隔壁６２Ａが潰れる際に、第１の孔６６と第２の孔６８から排出される。そして、チューブ状隔壁６２が潰れた状態から管状構造に回復する際に、再び、第１の孔６６はおむつ内部の湿気を、第２の孔６８は外気を吸い込む。即ち、ポンプ類似の排気機構で前記湿気を積極的に吸収性物品１Ａの外部に排気することもできる。
【００２０】
このような排気機構を用いれば、微多孔性のバックシートを用いた場合よりも湿気の排出量を大きくすることができ、吸湿剤により湿気を吸収する方法と比較して短時間に効果が発現される。即ち、吸収性物品と着用者の肌との間に滞留する湿気を効率よく速やかに排出することが可能となるため、かぶれ等のスキントラブルや、蒸れ、べたつき等の不快感を生ずることが少なく、快適に着用することができる。
【００２１】
［２−１］チューブ状隔壁：
図１Ａ及び図１Ｂに示すように、チューブ状隔壁６２Ａは、シート材７０，７６からなり、外部から仕切られた内部空間６０が形成された管状を呈し、吸収体２２の両側に配置された左右一対の部材である。
【００２２】
［２−１Ａ］材質：
「シート材」は、前記排気機構を機能させるため、変形容易なシート材であることが好ましい。また、撥水性材料や液不透過性材料からなるシート材で構成すれば、立体ギャザーと同様の効果を付与することも可能である。このようなシート材としては、カードエンボス、スパンボンド等の製法により製造された不織布や、防水性の高いＳＭＳ、ＳＭＭＳ等の不織布シート、ポリエチレン等の樹脂からなる液不透過性フィルム等を挙げることができる。また、部分的に、孔空き不織布を使用することもできる。
【００２３】
但し、後述するように、チューブ状隔壁の内側の領域に、一対の立体ギャザーを付設する場合等には、チューブ状隔壁は必ずしも撥水性材料や液不透過性材料によって構成する必要はない。例えば、弱い親水性をもった材質によりチューブ状隔壁を構成してもよい。このような材質でチューブ状隔壁を構成すると、着用者の汗等が吸収されるため、チューブ状隔壁の表面に滞留した汗等によるスキントラブルを防止することができ、好ましい。
【００２４】
チューブ状隔壁は、他の部材から独立したシート材によって構成されていてもよいし、吸収性物品の他の部材を構成するシート材と一体的に構成されていてもよい。
【００２５】
例えば、図１Ｂに示す吸収性物品１Ａ、図４Ａに示す吸収性物品１Ｄは、立体ギャザー２６とサイドシート１９を構成する撥水性シート３２の表面に、これとは独立したシート材７０，７６によって構成されたチューブ状隔壁６２Ａ，６２Ｄを固定した例である。一方、図２に示す吸収性物品１Ｂ、図５に示す吸収性物品１Ｅは、立体ギャザー２６を構成する撥水性シート３２とチューブ状隔壁６２Ｂ，６２Ｅを構成するシート材７０とを一体的に構成した例、図３に示す吸収性物品１Ｃは、サイドシート１９を構成するシート材とチューブ状隔壁６２Ｃを構成するシート材７０とを一体的に構成した例である。
【００２６】
［２−１Ｂ］全体構造：
チューブ状隔壁は、外部から仕切られた内部空間が形成された管状を呈する部材である。「外部から仕切られた」とは、シート材を境界にして、チューブ状隔壁の内部空間と外部とが認識できる構造となっていればよく、気密的又は液密的に空間が区画されている必要はない。例えば、図１Ｂに示す吸収性物品１Ａは、チューブ状隔壁６２Ａを構成するシート材７０，７６に、第１の孔６６及び第２の孔６８が形成され、内部空間６０と外部空間は連通した状態にあるが、シート材７０，７６を境界にしてチューブ状隔壁６２Ａの内部空間６０と外部空間とが明確に認識しうる構造となっている。
【００２７】
図１Ａに示すように、チューブ状隔壁６２Ａは、吸収体２２の吸収体２２の両側に左右一対配置される。前記排気機構を機能させるためには、着用者の動作によってチューブ状隔壁（ひいては、その内部空間）を変形させることが好ましい。従って、着用者の動作が大きい脚周りに近い部分、具体的には、吸収体の両側に配置することで、前記排気機構を良好に機能させることができる。また、チューブ状隔壁は起立用伸縮材によって立体的に起立するので、チューブ状隔壁を吸収体の両側に左右一対配置することにより、立体ギャザー的な機能を発揮させることも可能となる。
【００２８】
図１Ａに示すように、チューブ状隔壁６２Ａは、吸収性物品１Ａの前後方向に向かって直線的に配置し、一対のチューブ状隔壁６２Ａを並行に配置することが一般的である。この際、チューブ状隔壁の前後の端部は、ホットメルト接着剤等によって封着することによって、端部止めを行うことが一般的である。
【００２９】
本発明の吸収性物品においては、図１Ｂに示すように、チューブ状隔壁６２Ａが、複数枚のシート材７０，７６からなり、その複数枚のシート材７０，７６が、少なくともチューブ状隔壁６２Ａの頂部において相互に積層されて積層部が形成され、その積層部の層間に、起立用伸縮材６４が伸張状態で固定されていることが好ましい。このような構造とすることで、チューブ状隔壁を着用者の肌に十分フィットさせることができ、着用者の脚部の動作をロスなくチューブ状隔壁（ひいては内部空間）の変形に利用することができる。従って、内部空間の圧縮・復元を活発に行わせることができ、湿気の排気性を向上させることができる。
【００３０】
図１Ａ及び図１Ｂに示すチューブ状隔壁６２Ａは、例えば、図１Ｃに示すような方法で作製することができる。まず、（ａ）図に示すように、シート材７０とシート材７６を一部が重なり合うように貼り合わせる。この際、シート材７０，７６の層間には伸張状態の起立用伸縮材６４を挟み込んで固定する。また、剥離防止のため、シート材７０，７６の積層部にヒートシールによって接合部８２を形成する。その後、シート材７０のみからなる部分に第１の孔６６を、シート材７０とシート材７６との積層部に第２の孔６８を形成し、起立用伸縮材６４の配置部分より接合部８２側の部分で折り畳む。
【００３１】
次いで、（ｂ）図に示すように、シート材７０の縁部に接着剤８４を塗工し、起立用伸縮材６４の配置部分より第１の孔６６側の部分で折り畳む。更に、（ｃ）図に示すように、接着剤８４により、シート材７０同士を貼り合わせ、チューブ状隔壁６２Ａ及び内部空間６０を形成する。この部材を接着剤等により吸収性物品本体に貼り合わせることで、図１Ｂに示す吸収性物品１Ａのような吸収性物品が得られる。
【００３２】
この際、接着剤８４及びトップシート１８とシート材７０とを接着する接着剤はチューブ状隔壁６２Ａが剥離しない限度において幅狭く塗工されていることが好ましい。シート材７０とトップシート１８との接着部及び接着剤８４によって形成されるシート材７０同士の接着部を幅狭く形成することで、チューブ状隔壁６２Ａが接着部に拘束されることなく、起立用伸縮材６４によって十分に立ち上がり、チューブ状隔壁６２Ａの有する排気効果が向上する。
【００３３】
図１Ｂに示す吸収性物品１Ａは、シート材７６をチューブ状隔壁６２Ａの頂部のみならずチューブ状隔壁６２Ａの外向面にまで配置した例である。一方、図６に示す吸収性物品１Ｆ、図７Ａに示す吸収性物品１Ｇは、起立用伸縮材６４を配置するチューブ状隔壁６２Ｇの頂部のみにシート材７６を配置し、チューブ状隔壁６２Ｇの内向面や外向面にはシート材７６を配置していない例である。即ち、チューブ状隔壁６２Ｇの内向面及び外向面をシート材７０のみによって形成している。
【００３４】
上記のような形態は、チューブ状隔壁６２Ｇの内向面及び外向面が一枚のシート材７０によって構成され柔軟性に優れる。従って、内向面又は外向面を複数枚のシート材で構成した場合と比較してチューブ状隔壁６２Ｇをより容易に起立させることができ、着用者の肌への追従性を高めることができる。また、起立用伸縮材６４を固定する部分のみにシート材７６を配置しているため、シート材７６の使用量を減らすことができる。
【００３５】
また、図６に示す吸収性物品１Ｆは、シート材７０とシート材７６との間に起立用伸縮材６４を直接挟み込み固定した例である。一方、図７Ａに示す吸収性物品１Ｇは、シート材７６を二つ折りに折り畳み、その折り畳み部分の層間に起立用伸縮材６４を挟み込んで固定した例である。
【００３６】
図７Ａのような構造は、起立用伸縮材６４が着用者の肌に直接接触し難く、起立用伸縮材６４によって着用者の肌が強く刺激されることが少ない。従って、伸縮材の接触によるカブレ等のスキントラブルを抑制することができる。また、図７Ａのような構造は、シート材７０とシート材７６を異なる素材からなるシートによって構成することができる点において好ましい。例えば、着用者の肌と接触するシート材７０として親水性の不織布シートを用い、シート材７６として撥水性（疎水性）の不織布シートを用いることができる。また、シート材７０として孔開きの不織布シート、シート材７６として通常の（孔の開いていない）不織布シートを用いることもできる。シート材７０として孔開きの不織布シートを用いることで、別途第１の孔６６、第２の孔６８を形成する必要がなくなるため好ましい。
【００３７】
更に、図７Ａに示す吸収性物品１Ｇは、シート材７０と、起立用伸縮材６４を挟み込んだシート材７６とをスパイラル状に塗工した接着剤（ホットメルト接着剤等）によって固定している。このような固定方法は、シート材７０，７６を全面的に接着固定した場合とは異なり、シート材７０，７６の間に空隙が形成され易く、前記のスキントラブル抑制効果が向上する。
【００３８】
図７Ａに示すチューブ状隔壁６２Ｇは、例えば図７Ｂに示す方法で得ることができる。まず、シート材７６の半面に接着剤１０２を塗工する。図示の例では接着剤１０２を面状に塗工している（（ａ）図）。次いで、接着剤１０２の塗工部に伸張状態の起立用伸縮材６４を配置する（（ｂ）図）。更に、シート材７６の半面を折り返し、シート材７６の折り畳み部分の層間に起立用伸縮材６４を挟み込んで固定する（（ｃ）図）。
【００３９】
一方、シート材７０の表面には、スパイラル状に接着剤１００を塗工しておく（（ｄ）図）。次いで、接着剤１００の塗工部分に対して、起立用伸縮材６４を配置固定したシート材７６を貼り合わせ（（ｅ）図）、シート材７０に第１の孔６６、第２の孔６８を穿設する（（ｆ）図）。更に、シート材７０の一部（図面左側の領域）をシート材７６に重ねるように折り畳む（（ｇ）図）。シート材７０の側縁（図面右側の側縁）に沿って接着剤１０４を塗工し、シート材７０を更に折り畳むとともに、接着剤１０４の塗工部分に対してシート材７０のもう一方の側縁を貼り合わせることにより（（ｈ）図）、チューブ状隔壁６２Ｇを得る（（ｉ）図）。
【００４０】
また、本発明の吸収性物品においては、図４Ａに示す吸収性物品１Ｄ、図５に示す吸収性物品１Ｅのように、チューブ状隔壁６２Ｄ，６２Ｅが一枚のシート材７０からなり、その一枚のシート材７０の縁部が折り返されて折り返し部が形成され、その折り返し部の層間に起立用伸縮材６４が伸張状態で固定されているものも好ましい。
【００４１】
即ち、図１Ｂに示す吸収性物品１Ａでは、２枚のシート材７０，７６によってチューブ状隔壁６２Ａを形成しているが、二枚のシート材を用いずに一枚のシート材によってチューブ状隔壁を形成することもできる。例えば、一枚のシート材をチューブ状隔壁の管状の部分を形成した後、その底部に当たる部分で折り返して折り返し部を形成し、その折り返し部に起立用伸縮材を伸張状態で固定すればよい。こうすることにより、一枚のシート材のみによって、図１Ｂに示す吸収性物品１Ａのチューブ状隔壁６２Ａと同様の効果を奏するチューブ状隔壁を形成することができる。
【００４２】
中でも、図４Ｂに示すように、チューブ状隔壁６２が、シート材７０の一の端部Ｅ１側の領域７０ａによって、外部から仕切られた内部空間６０を形成する管状部９０が形成されるとともに、シート材７０の他の端部Ｅ２側の領域によって、内部空間６０に延出されるベロ部９２が形成されており、ベロ部９２に起立用伸縮材６４が固定されているものが好ましい。図４Ａに示す吸収性物品１Ｄ、図５に示す吸収性物品１Ｅは、そのようなベロ部が形成されたチューブ状隔壁６２Ｄ，６２Ｅを備えた吸収性物品の例である。
【００４３】
「ベロ部」とは、チューブ状隔壁の内部空間に突出するシート状の部分を意味する。「ベロ部」はチューブ状隔壁の管状部（即ち外殻部分）を構成するのではなく、専ら起立用伸縮材を配置するために設けられたチューブ状隔壁の内部構造を構成する部材である。
【００４４】
図４Ｂは、図４Ａのチューブ状隔壁６２Ｄの部分を拡大して示す一部拡大断面図である。この図では説明の便宜上、シート材７０のうち一の端部Ｅ１側の領域７０ａを斜線による塗りつぶしで、他の端部Ｅ２側の領域７０ｂをドットパターンによる塗りつぶしで示してある。
【００４５】
シート材７０は、端部Ｅ１側の領域７０ａ（一の端部Ｅ１から第１の折り返し点Ｐ１に至るまでの部分）と、端部Ｅ２側の領域７０ｂ（第１の折り返し点Ｐ１から端部Ｅ２に至るまでの部分）とからなる。そして、領域７０ａが外部から仕切られた内部空間６０を形成する管状部９０を形成し、領域７０ｂが内部空間６０に延出されるベロ部９２を形成している。ベロ部９２は第２の折り返し点Ｐ２で折り返されて、その折り返し部分の層間に起立用伸縮材６４が挟み込まれ固定されている。ベロ部９２の折り返し点Ｐ２は管状部９０の内面に接着剤９４により接合されている。
【００４６】
図４Ｂのような構造によれば、起立用伸縮材６４が挟み込まれて固定されたベロ部９２と着用者の肌に直接接触する管状部９０との間に空気層９６が形成される。従って、図１Ｂに示す構造と比較して、起立用伸縮材６４が着用者の肌を強く刺激することがなく、伸縮材の接触によるカブレ等のスキントラブルを有効に防止することができる。
【００４７】
［２−１Ｃ］起立用伸縮材：
図１Ａ及び図１Ｂに示すように、チューブ状隔壁６２Ａの頂部側には、チューブ状隔壁６２Ａの前後方向に向かって伸張状態の起立用伸縮材６４が固定されている。この起立用伸縮材６４の収縮力によって、チューブ状隔壁６２Ａが立体的に起立し、中空管状構造が維持される。また、変形容易なシート材７０，７６と起立用伸縮材６４によって形成される内部空間６０は力を加えれば自在に変形し、力が加わらない状態では元の形状に戻る。従って、ポンプ類似の排気機構を良好に機能させることができる。起立用伸縮材の種類、配置方法等は、後述する脚周り伸縮材等に準ずる構成とすればよい。
【００４８】
［２−１Ｄ］孔：
図１Ｂに示すように、チューブ状隔壁６２Ａは、その内向面に、一対のチューブ状隔壁６２Ａによって挟まれた空間に向かって開口する第１の孔６６が形成されている。また、チューブ状隔壁６２Ａの外向面には、左右一対のチューブ状隔壁６２Ａより外側の空間に向かって開口する第２の孔６８が形成されている。従って、第１の孔６６から湿気が取り込まれ、内部空間６０で外気と混合された後、第２の孔６８から吸収性物品１Ａの外部に湿気が排出される。
【００４９】
「内向面」とは、チューブ状隔壁を形成する面のうち、対となる他のチューブ状隔壁と対向する面を意味し、「左右一対のチューブ状隔壁によって挟まれた空間に向かって開口する」とは、吸収性物品の幅方向中央側に向かって開口していることを意味する。また、「外向面」とは、チューブ状隔壁を形成する面のうち、対となる他のチューブ状隔壁と背向する面を意味し、「左右一対のチューブ状隔壁より外側の空間に向かって開口する」とは、吸収性物品の幅方向外側に向かって開口していることを意味する。なお、「開口する」とは、第１の孔又は第２の孔が常時開口している場合のみならず、後述するようなスリットによって形成され、吸気・排気の際のみ開口するようなものも含む。
【００５０】
図１Ａ及び図１Ｂに示すように、チューブ状隔壁６２Ａは、その前後方向中央部に第１の孔６６及び第２の孔６８が複数形成されたものであることが好ましい。通常、吸収性物品は、その前後方向中央部が着用者の股下に当接するようにして用いられる。そして、その股下部には尿や体液が排泄されるとともに、前後端部より高さ位置が低いため、湿気が滞留し易い。従って、チューブ状隔壁の前後方向中央部に第１の孔及び第２の孔を複数形成することによって、その湿気を吸収性物品外部に排出し易くなる。
【００５１】
「前後方向中央部」とは、隔壁の全長に対して、前端側、後端側各々３０％長さ部分を除いた中央側４０％長さの部分を意味する。「複数」の具体的な数は制限されない。孔の開口面積によっても異なるが、孔１個当たり開口面積が０．５〜１０ｍｍ２であれば、第１の孔、第２の孔各々５〜２００個形成することが好ましく、１０〜１００個形成することが更に好ましい。５個以上とすることで、排気機能を確保することができる。一方、２００個以下とすることで尿や体液が排気経路に流入することを有効に防止することができる。
【００５２】
チューブ状隔壁は、軌跡が凸形状のスリット又は交差する複数本のスリットによって第１の孔又は第２の孔が形成されていることが好ましい。第１の孔又は第２の孔を単なる開口部とするのではなく、前記スリットによって形成することで、極めて容易に第１の孔に弁的に機能する舌片を付設することができる。前記舌片により、排気経路に尿や体液が侵入することを抑制しつつ、湿気を通過させることができる。
【００５３】
スリットの形態は特に限定されないが、「軌跡が凸形状のスリット」としては、図８Ａに示すような、ａ）湾曲部を有するスリット７４Ａ、ｂ）屈曲部を有するスリット７４Ｂ等を挙げることができる。また、「交差する複数本のスリット」としては、同じく図８Ａに示すような、ｃ）二本のスリットが交差する十字状のスリット７４Ｃ、ｄ）３本のスリットが交差する星型のスリット７４Ｄ等を挙げることができる。
【００５４】
図８Ａ及び図８Ｂに示すように、スリット７４Ａにより、略楕円状の舌片７２Ａ及び略楕円状の第１の孔６６Ａを形成することができ、スリット７４Ｂにより、三角形状の舌片７２Ｂ及び三角形状の第１の孔６６Ｂを形成することができる。また、スリット７４Ｃにより、三角形状の舌片７２Ｃ及び矩形状の第１の孔６６Ｃを形成することができ、スリット７４Ｄにより、三角形状の舌片７２Ｄ及び六角形状の第１の孔６６Ｄを形成することができる。
【００５５】
［２−１Ｅ］立体ギャザーとの関係：
本発明の吸収性物品は、図１Ａ及び図１Ｂに示す吸収性物品１Ａのように、撥水性シート３２からなり、吸収体２２の両側に配置された、左右一対の立体ギャザー２６（２６ａ，２６ｂ）を更に備え、左右一対の立体ギャザー２６（２６ａ，２６ｂ）は、左右一対のチューブ状隔壁６２Ａよりも内側の領域に配置されていることが好ましい。
【００５６】
既に述べたように、本発明の吸収性物品においては、チューブ状隔壁６２Ａを立体ギャザー的に機能させることも可能だが、立体ギャザー２６を更に付設することで、漏れ防止対策としてはより万全なものとなる。また、チューブ状隔壁６２Ａが立体ギャザー２６よりも外側の領域に配置されることになり、チューブ状隔壁６２Ａを脚周り伸縮材として利用することができるという効果が得られる。
【００５７】
［２−１Ｆ］脚周り伸縮材との関係：
本発明の吸収性物品においては、チューブ状隔壁を脚周り伸縮材として機能させることも可能である。チューブ状隔壁が着用者の脚周りにフィットするため、脚周り伸縮材を別途配置しなくても脚周り開口部からの漏れを防止し得るからである。例えば、図２に示す吸収性物品１Ｂや図５に示す吸収性物品１Ｅは、チューブ状隔壁６２Ａ，６２Ｅによって脚周り伸縮材と同様の機能を担保させ、脚周り伸縮材を配置しない形態の例である。
【００５８】
［３］吸収性物品の構成部材：
本発明の吸収性物品は、図１Ａ及び図１Ｂに示す吸収性物品１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０とを備えるものである。
【００５９】
［３−１］吸収体：
「吸収体」は、着用者の尿等を吸収し、保持するための部材であり、吸収性材料によって構成される。
【００６０】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００６１】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００６２】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。通常、吸収体はトップシートとバックシートの間に挟みこまれ、両シートと一体化された状態で用いられる。
【００６３】
［３−２］トップシート：
トップシートは、着用者の尿等を透過させる必要から、その少なくとも一部（全部又は一部）が液透過性材料により構成される。
【００６４】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６５】
「不織布」としては、エアースルー（カード熱風）、カードエンボス等の製法によって製造された不織布を好適に用いることができる。「親水化処理」は、界面活性剤を塗布、スプレー、含浸等させることにより行うことができる。
【００６６】
トップシートは、「少なくとも一部」、具体的には、トップシートを平面的に見た場合に、少なくとも吸収体の表面近傍は液透過性材料により構成されていることが好ましい。
【００６７】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【００６８】
例えば、図１Ａ及び図１Ｂに示す吸収性物品１Ａは、テープ型使い捨ておむつであり、おむつの幅方向中央部には液透過性材料からなるトップシート１８を配置し、おむつのサイドフラップ部分には液の透過に対して抵抗性を示す通気撥水性材料からなるサイドシート１９を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００６９】
［３−３］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００７０】
バックシートの配置位置については特に制限はない。吸収体で吸収された尿の漏れを防止するという観点から、少なくとも吸収体の存在する部分にバックシートが配置されていることが好ましい。
【００７１】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７２】
なお、図１Ｂに示すように、バックシート２０の外表面側にカバーシート２４を貼り合わせてもよい。このカバーシートは、バックシートを補強し、バックシートの手触り（触感）を良好なものとするために用いられる。
【００７３】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７４】
［３−４］立体ギャザー：
既に述べたように、本発明の吸収性物品は、撥水性シートからなり、吸収体の両側に配置された左右一対の一対の立体ギャザーを備えていることが好ましい。
【００７５】
立体ギャザーの構成は、従来の使い捨ておむつ、その他の吸収性物品に使用される構成を採用することができる。例えば、撥水性シートの層間に伸縮材を挟み込んで固定し、その伸縮材の収縮力によってギャザー（襞）を形成したもの等を好適に用いることができる。
【００７６】
なお、立体ギャザーは、前記のように立体ギャザー用の撥水性シートを別途付設してもよいし、おむつを構成するシート材（例えば、撥水性のサイドシート等）の一部によって形成してもよい。撥水性シートは、カードエンボス、スパンボンド等の製法により製造された不織布であってもよいが、防水性の高いＳＭＳ、ＳＭＭＳ等の不織布シートが更に好ましい。
【００７７】
［３−５］止着テープ：
本発明の吸収性物品は、図１Ａに示すように、後身頃６の左右の各側縁６ａ，６ｂから延出するように配置された、前身頃２と後身頃６とを固定するための止着テープ１１を備えていてもよい。即ち、本発明の吸収性物品には、いわゆるテープ型使い捨ておむつが含まれる。
【００７８】
止着テープのファスニング部材としては、粘着剤により固定を行う粘着ファスナーであってもよいが、機械的な結合により固定を行うメカニカルファスナー（面状ファスナー）
を用いることが好ましい。メカニカルファスナーは、止着力が高いことに加え、複数回の脱着を行っても止着力が低下することがないという利点がある。
【００７９】
例えば、図１Ａに示す吸収性物品１Ａは、ファスニング部材として、メカニカルファスナー４６を用いた例である。止着テープ１１の先端近傍には、フック材４６ａが付設される一方、前身頃２には、ループ材４６ｂからなるフロントパッチ１３が付設されており、フロントパッチ１３に対して、止着テープ１１を止め付けることが可能なように構成されている。
【００８０】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００８１】
［３−６］各種伸縮材：
本発明の吸収性物品が使い捨ておむつである場合は、脚周り伸縮材を配置し、ウエスト周り伸縮材を配置することが好ましい。
【００８２】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８３】
この脚周り伸縮材は、糸ゴムや平ゴム等によって構成される。そして、脚周り伸縮材は、立体ギャザーの起立線より外側の部分に配置されていることが好ましい。このような構成とすると、立体ギャザーの十分な防漏効果を確保しつつ、股下部の装用感・装着感を向上させることができる。
【００８４】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８５】
図１Ａに示す吸収性物品１Ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８６】
これらの伸縮材については、ギャザーの収縮の程度等を勘案した上で、構成材料、その材料の伸長率、固定時の伸長状態等を決定すればよい。
【００８７】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８８】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８９】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００９０】
［３−７］適用対象：
なお、本発明の吸収性物品は、既に説明したようなテープ型使い捨ておむつの他、パンツ型使い捨ておむつや尿パッド等の吸収性物品にも適用することができる。
【００９１】
「パンツ型使い捨ておむつ」とは、図９Ａ、図９Ｃに示す吸収性物品１Ｈのように、前身頃２と後身頃６の対応する側縁６ａ，６ｂ同士を接合することによって、一つのウエスト周り開口部１０及び一対の脚周り開口部１２（１２ａ，１２ｂ）が形成され、予めパンツ型に構成された使い捨ておむつである。中でも、吸収体２２が内包された吸収性本体１４が、一つのウエスト周り開口部１０及び一対の脚周り開口部１２が形成されたパンツ型を呈する外装シート１６の内部に固定された形態がよく用いられる（「２ピースタイプ」と称される。）。
【００９２】
例えば、図９Ａ〜図９Ｄに示す吸収性物品１Ｈは、２ピースタイプのパンツ型使い捨ておむつに本発明を適用した例である。この例では、吸収性本体１４の側縁部、立体ギャザー２６の外側にチューブ状隔壁６２Ｈを付設している。但し、チューブ状隔壁６２Ｈを吸収性本体１４ではなく、外装シート１６に対して固定しても、同様の効果を得ることができる。
【００９３】
「尿パッド」とは、インナーパッド、補助パッドとも称され、専ら尿吸収を目的とする吸収パッドである。この尿パッドは、下着の内面や使い捨ておむつのトップシートの表面に載置した状態で用いられる。尿パッドは、使い捨ておむつと同様に、吸収体と、吸収体の表面を被覆するように配置されたトップシートと、吸収体の裏面を被覆するように配置されたバックシートとを備えるが、着用者の腰周りを被包する部分を持たない小型のパッド状に構成されることが一般的である。
【実施例】
【００９４】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【００９５】
〔実施例１〕
実施例１の吸収性物品として、テープ型使い捨ておむつを作製した。具体的な構造は、図１Ａ及び図１Ｂに示す吸収性物品１Ａの構造とした。この吸収性物品１Ａは、乳児用Ｌサイズのものであり、前後方向長さを４８５ｍｍ、後身頃６の幅（側縁６ａ，６ｂ間の長さ）を３２５ｍｍとした。
【００９６】
吸収性物品１Ａは、ＳＭＳ不織布製のサイドシート１９の一部をなすシート材７０と、これとは別体のＳＭＳ不織布製のシート材７６によって構成した。チューブ状隔壁６２Ａの形成は、図１Ｃに示す方法で行った。シート材７０，７６は、チューブ状隔壁６２Ａの頂部及び外向面に相当する部分において相互に積層し積層部を形成した。
【００９７】
吸収性物品１Ａでは、前記積層部の層間には、チューブ状隔壁６２Ａの起立用伸縮材６４として６本の伸縮材を伸張状態で配置した。立体ギャザー伸縮材３６の固定長さは３８０ｍｍ、伸張率（伸張時長さ／非伸長時長さ×１００）は、３００％とした。
【００９８】
チューブ状隔壁６２Ａの内向面及び外向面には、前後方向の前端側、後端側各々３０％長さの部分を除いた中央側４０％長さの部分に、１０個×２列のパターンで各２０個の第１の孔６６、第２の孔６８を形成した。第１の孔６６及び第２の孔６８の形状は長軸３ｍｍ、短軸２ｍｍの楕円形状とし、開口面積は４．７ｃｍ２とした。
【００９９】
チューブ状隔壁６２Ａは、吸収体２２の前後端部に向かって吸収体２２の両側に左右一対配置した。これにより、シート材７０，７６によって外部から区画された内部空間６０を形成した。この内部空間６０の最大断面積は１．５ｃｍ２であった。
【産業上の利用可能性】
【０１００】
本発明の吸収性物品は、乳幼児用又は介護を必要とする高齢者や障害者等の成人用の使い捨ておむつ、尿パッド等の吸収性物品に利用することができる。
【図面の簡単な説明】
【０１０１】
【図１Ａ】本発明の吸収性物品の一の実施形態を示す図であり、吸収性物品を展開し、トップシート側から見た状態を示す概略平面図である。
【図１Ｂ】図１Ａに示す吸収性物品のＡ−Ａ’断面を示す概略断面図である。
【図１Ｃ】図１Ａに示す吸収性物品のチューブ状隔壁を形成する方法を示す工程図である。
【図２】本発明の吸収性物品の別の実施形態を示す図であり、図１Ｂに対応する断面を示す概略断面図である。
【図３】本発明の吸収性物品の更に別の実施形態を示す図であり、図１Ｂに対応する断面を示す概略断面図である。
【図４Ａ】本発明の吸収性物品の更にまた別の実施形態を示す図であり、図１Ｂに対応する断面を示す概略断面図である。
【図４Ｂ】図４Ａに示す吸収性物品のチューブ状隔壁の部分を拡大して示す一部拡大断面図である。
【図４Ｃ】図４Ａに示す吸収性物品のチューブ状隔壁を形成する方法を示す工程図である。
【図５】本発明の吸収性物品の別の実施形態を示す図であり、図１Ｂに対応する断面を示す概略断面図である。
【図６】本発明の吸収性物品の更に別の実施形態を示す図であり、図１Ｂに対応する断面を示す概略断面図である。
【図７Ａ】本発明の吸収性物品の更にまた別の実施形態を示す図であり、図１Ｂに対応する断面を示す概略断面図である。
【図７Ｂ】図７Ａに示す吸収性物品のチューブ状隔壁を形成する方法を示す工程図である。
【図８Ａ】本発明の吸収性物品の隔壁に形成される第１の孔の実施形態を示す概略平面図である。
【図８Ｂ】図８Ａに示す第１の孔が開孔した状態を示す概略平面図である。
【図９Ａ】本発明の吸収性物品を展開し、トップシート側から見た状態を示す概略平面図である。
【図９Ｂ】図９Ａに示す吸収性物品のＸ−Ｘ’断面を示す概略断面図である。
【図９Ｃ】図９Ａに示す吸収性物品を組み立てて正面側から見た状態を示す概略斜視図である。
【図９Ｄ】図９Ａに示す吸収性物品から吸収性本体を除去し、外装シートの部分のみを示す概略平面図である。
【符号の説明】
【０１０２】
１Ａ，１Ｂ，１Ｃ，１Ｄ，１Ｅ，１Ｆ，１Ｇ，１Ｈ：吸収性物品、２：前身頃、４：股下部、６：後身頃、６ａ，６ｂ：側縁、１１：止着テープ、１３：フロントパッチ、１８：トップシート、１９：サイドシート、２０：バックシート、２２：吸収体、２４：カバーシート、４０：脚周り伸縮材、４２：ウエスト周り伸縮材、４４：腹周り伸縮材、４６：メカニカルファスナー、４６ａ：フック材、４６ｂ：ループ材、６０：排気経路、６２Ａ，６２Ｂ，６２Ｃ，６２Ｄ，６２Ｅ，６２Ｆ，６２Ｇ，６２Ｈ：チューブ状隔壁、６４：起立用伸縮材、６６，６６Ａ，６６Ｂ，６６Ｃ，６６Ｄ：第１の孔、６８：第２の孔、７０：シート材、７０ａ，７０ｂ：領域、７２Ａ，７２Ｂ，７２Ｃ，７２Ｄ：舌片、７４Ａ，７４Ｂ，７４Ｃ，７４Ｄ：スリット、７６：シート材、８２：接合部、８４：接着剤、９０：管状部、９２：ベロ部、９４，９８，１００，１０２，１０４：接着剤、９６：空気層、Ｅ１：一の端部、Ｅ２：他の端部、Ｐ１：第１の折り返し点、Ｐ２：第２の折り返し点。
【図１Ａ】
2010035865.tif 000003
【図１Ｂ】
2010035865.tif 000004
【図１Ｃ】
2010035865.tif 000005
【図２】
2010035865.tif 000006
【図３】
2010035865.tif 000007
【図４Ａ】
2010035865.tif 000008
【図４Ｂ】
2010035865.tif 000009
【図４Ｃ】
2010035865.tif 000010
【図５】
2010035865.tif 000011
【図６】
2010035865.tif 000012
【図７Ａ】
2010035865.tif 000013
【図７Ｂ】
2010035865.tif 000014
【図８Ａ】
2010035865.tif 000015
【図８Ｂ】
2010035865.tif 000016
【図９Ａ】
2010035865.tif 000017
【図９Ｂ】
2010035865.tif 000018
【図９Ｃ】
2010035865.tif 000019
【図９Ｄ】
2010035865.tif 000020